(57)【特許請求の範囲】
【請求項１】
発泡した合成樹脂から成る本体部と、該本体部内に配置したマグネシウム粒とから構成し、前記本体部は合成樹脂の発泡体からセル膜を除去した三次元網目構造のスポンジ部から成ることを特徴とする洗濯機用アルカリイオン水生成用具。
【請求項２】
前記本体部は一対の前記スポンジ部同士を貼り合わせて形成したことを特徴とする請求項１に記載の洗濯機用アルカリイオン水生成用具。
【請求項３】
前記本体部の合成樹脂は透明状であることを特徴とする請求項１又は２に記載の洗濯機用アルカリイオン水生成用具。
【請求項４】
前記マグネシウム粒の量は、洗濯機の水槽内でかき回された際に、浮力により水槽内の水の中央付近まで浮遊することができる程度の割合で前記本体部に収納したことを特徴とする請求項１〜３の何れか１項に記載の洗濯機用アルカリイオン水生成用具。
【請求項５】
前記本体部のマグネシウム粒を収納する空隙の表面に研磨用加工を施したことを特徴とする請求項１〜４の何れか１項に記載の洗濯機用アルカリイオン水生成用具。
【発明の詳細な説明】
【技術分野】
【０００１】
本発明は、洗濯機内の水槽に配置し、水槽内の水をアルカリイオン水に改質する粒体を収納した洗濯機用アルカリイオン水生成用具に関するものである。
【背景技術】
【０００２】
特許文献１には、洗濯機において、酸化マグネシウムを含む粒状の除菌剤を、ポリエステル樹脂やナイロン樹脂などから成るフィルタ状の除菌剤袋に収容して、水槽底の除菌剤ケース内に固定することが開示されている。
【０００３】
また、特許文献１の洗濯機のように、除菌剤ケースに固定せずに、ポリエステル樹脂やナイロン樹脂などから成るフィルタ状の除菌剤袋内に、マグネシウム粒を充填し、この除菌剤袋を洗濯機の水槽底に単に置いて使用することもある。
【０００４】
何れの除菌剤袋も、除菌剤袋内のマグネシウムが水槽内の水に浸漬することにより、マグネシウムが溶出してアルカリイオン水に改質する。このアルカリイオン水によって洗濯することで、洗濯物の除菌や水槽の除菌をすると共に洗濯物の汚れが落ち易くなる。
【先行技術文献】
【特許文献】
【０００５】
【特許文献１】特開２０１５−６６０５９号公報
【発明の概要】
【発明が解決しようとする課題】
【０００６】
しかし、袋内のマグネシウムは水と接触すると、薄い酸化膜が形成される。このマグネシウム粒の表面を黒くする酸化膜の発生により、マグネシウムの溶出速度は、酸化膜がない状態に比べて低下することになる。
【０００７】
また、アルカリイオン水の除菌に作用するｐＨ値は肉眼では確認できず、更にポリエステル樹脂やナイロン樹脂などから成るフィルタ状の袋体では、袋体を開かない限り、マグネシウムに生成された酸化膜の状態を確認することができない。
【０００８】
従って、時間の経過と共に除菌効果や洗浄効果が低下すると同時に、低下している状態を目視できないため、除菌効果や洗浄効果が低下していることに気が付かないという問題がある。
【０００９】
本発明の目的は、上述の課題を解消し、マグネシウム粒表面に酸化膜の発生を防止すると共に、マグネシウム粒の表面に酸化膜が発生した場合に、目視で確認することができる洗濯機用アルカリイオン水生成用具を提供することにある。
【課題を解決するための手段】
【００１０】
上記目的を達成するための本発明に係る洗濯機用アルカリイオン水生成用具は、発泡した合成樹脂から成る本体部と、該本体部内に配置したマグネシウム粒とから構成し、前記本体部は合成樹脂の発泡体からセル膜を除去した三次元網目構造のスポンジ部から成ることを特徴とする。
【発明の効果】
【００１１】
本発明に係る洗濯機用アルカリイオン水生成用具によれば、マグネシウム粒を覆う本体部に発泡した合成樹脂を採用することで、マグネシウム粒の表面に酸化膜の発生を防ぐと共に、酸化膜が発生した場合に目視で確認することができる。
【図面の簡単な説明】
【００１２】
【図１】実施例１の洗濯機用アルカリイオン水生成用具の斜視図である。
【図２】側方断面図である。
【図３】洗濯機で使用する際の説明図である。
【図４】実施例２の生成用具の斜視図である。
【図５】分解斜視図である。
【図６】側方断面図である。
【図７】実施例３の生成用具の斜視図である。
【図８】分解斜視図である。
【図９】側方断面図である。
【発明を実施するための形態】
【００１３】
本発明を図示の実施例により詳細に説明する。
【実施例１】
【００１４】
図１は実施例１の洗濯機用アルカリイオン水生成用具１の斜視図、図２は側方断面図である。生成用具１の大きさは、例えば縦１０ｃｍ、横６ｃｍ、厚さ２ｃｍ程度である。なお、生成用具１の大きさは洗濯機等の大きさに応じて複数のサイズを用意し、適宜に選択して使用することができる。
【００１５】
生成用具１は偏平状であって、楕円形状の２枚のスポンジ部１ａ、１ｂから成る本体部１ｃと、本体部１ｃ内に収納される直径３〜５ｍｍ程度の粒状の多数個のマグネシウム粒１ｄから構成されている。スポンジ部１ａ、１ｂは、周囲を熱によるが溶着等によって貼り合わせたスポンジ部１ａ、１ｂの形状は楕円形としたが、長方形、円形等の適宜の形状を採用することができる。
【００１６】
本体部１ｃ内のマグネシウム粒１ｄの量は、生成用具１が洗濯機Ｓの水槽内でかき廻された際に、本体部１ｃの浮力により水内の中央付近まで浮遊することができる程度の割合とされている。
【００１７】
スポンジ部１ａ、１ｂの材質は、発泡した合成樹脂から成り、例えば軟質ウレタンフォームとされている。この軟質ウレタンフォームはポリオール、ポリイソシアネートを主成分として、発泡剤、整泡剤、触媒などを配合して発泡したものであり、ポリウレタン樹脂を１０〜６０倍程度に発泡した連続気泡のセル構造となっている。
【００１８】
スポンジ部１ａ、１ｂは縁部同士を貼り合わせており、この貼り合わせは熱による溶着や接着剤等によって行う。また、スポンジ部１ａ、１ｂ間の本体部１ｃ内の空隙１ｅ内のマグネシウム粒１ｄは、空隙１ｅ内を或る程度自在に移動することができる。空隙１ｅの内表面には、後述するマグネシウム粒１ｄを研磨し易くするために、硬質処理等の研磨加工を施してもよい。
【００１９】
合成樹脂の発泡体から成る本体部１ｃは或る程度の透過性を有しているので、本体部１ｃの外表面から図示するように内部のマグネシウム粒１ｄを目視で確認することができる。このように、マグネシウム粒１ｄに対して、より目視による確認をし易くするために、スポンジ部１ａ、１ｂとして透明状のものを採用したり、ポリウレタン発泡体を除膜処理によってセル膜を除去した三次元網目構造である脱膜スポンジを採用してもよい。
【００２０】
このセル膜の除去は、例えばアルカリ等の薬液による溶解法や、爆発法等によって行われる。除膜処理によりセル膜が除去されたポリウレタン発泡体は三次元網目構造と成り、上述の連続気泡のセル構造に比べて空隙を有し硬質である。
【００２１】
生成用具１を使用する際には、図３に示すように先ず洗濯物Ｃと共に洗濯機Ｓの水槽Ｔ内に置き、水Ｗが水槽Ｔ内に注入されると水は生成用具１内に侵入する。その後に洗濯機底のモータＭからベルトＢを介して、動力がパルセータＰに伝達され、パルセータＰが回転する。
【００２２】
パルセータＰが回転し濯ぎ処理が開始されると、パルセータＰの渦流により浮力を有する生成用具１は、水槽Ｔの中央付近まで浮上する。そこで、激しくかき回されることで、内部のマグネシウム粒１ｄからマグネシウムの溶出が促進される。
【００２３】
マグネシウム粒１ｄが水槽Ｔ内の水Ｗに浸漬されると、次式のような反応が起こる。
Ｍｇ＋２Ｈ2Ｏ→Ｍｇ（ＯＨ）2＋Ｈ2↑
【００２４】
マグネシウムと水Ｗとが反応し、水酸化マグネシウムと水素が生成され、水槽Ｔ内に給水された水Ｗはアルカリイオン水に改質されることになる。このアルカリイオン水に含まれるマイナスイオンによる殺菌作用には、洗濯物Ｃ及び水槽Ｔ内の雑菌の繁殖を抑える効果があり、このため洗濯物Ｃのカビ臭の発生、付着や水槽Ｔのカビ等の発生を防止することができる。
【００２５】
また、アルカリイオン水は油脂分を分解して石鹸化することが知られており、この作用により洗剤を流す場合と同等な界面活性効果により、洗濯物Ｃに付着した汚れを落とすことも可能となる。
【００２６】
更に、アルカリイオン水は水Ｗの分子であるクラスタを細分化させるため、浸透性が高くなり、洗濯物Ｃに付着した汚れとの間隙に浸透し易く、汚れを膨潤させて浮き上がらせる効果をも有している。
【００２７】
濯ぎ処理の際に、本端部１ｃの空隙１ｅの表面がマグネシウム粒１ｄに当接し、マグネシウム粒１ｄの表面を研磨することになる。このマグネシウム粒１ｄの表面の研磨動作により、表面の酸化膜の発生を防止することができる。
【００２８】
また、マグネシウム粒１ｄの表面に既に酸化膜が発生している場合には、水槽Ｔ内で激しくかき回されることで研磨され、徐々に酸化膜を除去することが可能である。
【００２９】
更に、目視によりマグネシウム粒１ｄの表面に黒くなった酸化膜が発生していることが確認できるため、酸化膜が発生している場合には、洗濯機Ｓの濯ぎ時間を長めに設定することで、酸化膜をより早く除去することもできる。又は、酸性の液体に浸すことで酸化膜を除去することもできる。
【実施例２】
【００３０】
図４は実施例２の洗濯機用アルカリイオン水生成用具２の斜視図、図５は分解斜視図、図６は側方断面図である。生成用具２の大きさは、例えば縦１２ｃｍ、横８ｃｍ、厚さ４ｃｍ程度である。
【００３１】
生成用具２は、偏平状である楕円形状のスポンジ部２ａ、２ｂから成る本体部２ｃと、この本体部２ｃ内に収納されるマグネシウム粒２ｄから構成されている。また、本体部２ｃの全体的な形状は楕円形としたが、直方形、円柱形の適宜の形状を採用することができる。
【００３２】
スポンジ部２ａ、２ｂの素材は上述の合成樹脂の連続気泡のセル構造とした発泡体のうち、特に三次元網目構造である脱膜スポンジを採用することが好ましい。
【００３３】
スポンジ部２ａ、２ｂはそれぞれ片面中央に凹部２ｅが設けられており、凹部２ｅ同士を対向した状態で、凹部２ｅ内にマグネシウム粒２ｄを収納して、スポンジ部２ａ、２ｂの凹部２ｅの辺りの縁部を貼り合わせることにより、生成用具２が完成する。
【００３４】
なお、スポンジ部２ａ、２ｂの凹部２ｅは一方のみに設けるようにしてもよく、凹部２ｅの内表面には、マグネシウム粒２ｄを研磨し易くするために、硬質処理等の研磨加工を施してもよい。
【００３５】
生成用具２の使い方に関しては、実施例１の生成用具１と同様に、洗濯機Ｓの水槽Ｔ内に配置して使用し、改質したアルカリイオン水の効果も実施例１の生成用具１と同様である。
【実施例３】
【００３６】
図７は実施例３における洗濯機用アルカリイオン水生成用具３の斜視図、図８は分解斜視図、図９は側方断面図である。生成用具３の大きさは、実施例２の生成用具２の大きさと同等である。
【００３７】
生成用具３は偏平状である楕円形状スポンジ部３ａ、３ｂの間に、同形状のリング状のマグネシウム保持体を挟んだ本体部３ｄと、マグネシウム保持体３ｃの内部に配置するマグネシウム粒３ｅから構成されている。
【００３８】
スポンジ部３ａ、３ｂの素材は実施例２のスポンジ部２ａ、２ｂと同様であり、保持体３ｃはスポンジ部３ａ、３ｂに比べて目が細かいスポンジ体を採用している。この生成用具３の場合は、保持体３ｃの中央にマグネシウム粒３ｅを収納しているのでスポンジ部３ａ、３ｂに凹部を設ける必要はない。
【００３９】
生成用具３の使い方に関しては、先の実施例の生成用具１、２と同様に、洗濯機Ｓの水槽Ｔ内に配置して使用し、改質したアルカリイオン水の効果も同様である。
【００４０】
このように、マグネシウム粒１ｄ、２ｄ、３ｅを合成樹脂の発泡体から成る本体部１ｃ、２ｃ、３ｄで覆った状態で洗濯機内で濯ぐことで、マグネシウム粒１ｄ、２ｄ、３ｅの表面に酸化膜の発生を防ぐことが可能である。更に、マグネシウム粒１ｄ、２ｄ、３ｅの表面に酸化膜が発生した場合には、目視で確認することができるので、酸化膜を除去作業を行うこともできる。
【００４１】
また、濯ぎ処理の際には、生成用具１〜３が水槽内Ｔの壁面に衝突して、壁面の汚れや、カビ等を除去する効果も生ずる。更に、発泡した合成樹脂からなる生成用具１〜３が水槽内Ｔで激しくかき回されることで、合成樹脂の隙間に髪の毛や糸くず等のゴミが絡め取られ、衣類等の洗濯物Ｃに対してゴミの付着を防ぐこともできる。
【００４２】
また、水槽内Ｔで洗濯物と生成用具１〜３を入れて、濯ぎ処理を行うことで洗濯物Ｃ同士や洗濯物Ｃ自体が絡まることを防止するという効果もある。この場合には、複数の生成用具１〜３を水槽内Ｔに入れることでより一層、洗濯物Ｃが絡まり難くなる。
【符号の説明】
【００４３】
１、２、３  洗濯機用アルカリイオン水生成用具
１ａ、１ｂ、２ａ、２ｂ、３ａ、３ｂ  スポンジ部
１ｃ、２ｃ、３ｄ  本体部
１ｄ、２ｄ、３ｅ  マグネシウム粒
【図１】
0006594755.tif 000002
【図２】
0006594755.tif 000003
【図３】
0006594755.tif 000004
【図４】
0006594755.tif 000005
【図５】
0006594755.tif 000006
【図６】
0006594755.tif 000007
【図７】
0006594755.tif 000008
【図８】
0006594755.tif 000009
【図９】
0006594755.tif 000010